(57)【要約】  薬物送達領域が増強されたインプラント可能な装置であって、バルーン上に装着された予備クリンプ済みステントアセンブリが、バルーンの拡張時に周方向円筒形フィルムの形成をもたらす薬物および関連ポリマーマトリックスの均質コーティングをさらに含む装置が開示される。この薬物送達医療装置による円筒形フィルム形成によって血管内腔領域のカバー領域の最大化が可能になり、それにより管腔内の未処理領域の発生が防止される。
2020534876.tif 000002
【特許請求の範囲】
【請求項１】
バルーン上に装着された予備クリンプ済みステントをコーティングする方法であって、
この方法は、
バルーンアセンブリ上にステントアセンブリをクリンプし、バルーン上に装着された予備クリンプ済みステントを形成することであって、このステントアセンブリが、複数のストラット構成要素内に画定された相互接続された空間領域を備える当該複数のストラット構成要素を含むこと、および
バルーン上に装着されたこの予備クリンプ済みステントの外面をコーティングすることであって、バルーンアセンブリの複数の部分がこのコーティングに曝されて、均質な円筒形のコーティングを形成することを含む、上記方法。
【請求項２】
バルーン上に装着された前記予備クリンプ済みステントが、スプレーコーティングの方法によってコーティングされる、請求項１に記載の方法。
【請求項３】
前記スプレーコーティングが、軸方向および回転方向における１種以上の薬物およびポリマーの有機溶媒可溶性マトリックスのコーティングを含む、請求項１に記載の方法。
【請求項４】
前記コーティングが、１種以上の薬物と１種以上のポリマーとのマトリックスを含む組成物を含む、請求項１に記載の方法。
【請求項５】
前記コーティング溶液が高速蒸発溶媒に溶解された１種以上の薬物および１種以上のポリマーを含む、請求項１に記載の方法。
【請求項６】
バルーン上に装着された前記予備クリンプ済みステントの外面をコーティングすることにより、バルーン上に装着された前記予備クリンプ済みステントの内側表面が、コーティングされていない状態がもたらされる、請求項１に記載の方法。
【請求項７】
バルーン上に装着され、コーティングされた予備クリンプ済みステントであって、
このバルーン上に装着され、コーティングされた予備クリンプ済みステントは、バルーン上に装着された予備クリンプ済みステントのバルーンアセンブリの膨張／拡張時に、血管内腔の周囲領域を覆う１種以上の薬物と１種以上のポリマーとのマトリックスの均質な円筒形コーティングを含む、
上記コーティングされた予備クリンプ済みステント。
【請求項８】
前記均一な円筒形のコーティングが、前記体腔内の損傷に対処する、請求項６に記載のバルーン上に装着され、コーティングされた前記予備クリンプ済みステント。
【請求項９】
前記薬物が、抗再狭窄剤、抗増殖剤、抗炎症剤、抗血栓剤、抗酸化剤、免疫抑制剤、細胞増殖抑制剤および細胞毒性剤のうちの少なくとも１つから選択される、請求項６に記載のバルーン上に装着され、コーティングされた前記予備クリンプ済みステント。
【請求項１０】
前記薬物が、シロリムス、タクロリムス、パクリタキセル、ベータ−エスタジオール、ラパマイシン、エベロリムス、エチルラパマイシン、ゾタロリムス、ＡＢＴ−５７８、Ｂｉｏｌｉｍｕｓ  Ａ９、ならびに、ラパマイシン、マイトマイシン、ミオマイシン、ノボリムス、ペルミロラストカリウム、アルファ−インターフェロン、生理活性ＲＧＤおよびそれらの塩、エステルまたは類似体のうちの少なくとも１つから選択される、請求項６に記載のバルーン上に装着され、コーティングされた前記予備クリンプ済みステント。
【請求項１１】
前記少なくとも１種のポリマーが、グリコリドおよびラクチドのホモポリマー、コポリマー；トリメチレンカーボナート、ε−カプロラクトンおよびポリジオキサノンのコポリマー；ポリグリコール酸（ＰＧＡ）；（乳酸／グリコール酸）コポリマー（ＰＬＧＡ）；ポリ（エチレングリコール）（ＰＥＧ）；ポリグラクチン；ポリグリコナート；ポリジキサノン；ポリグレカプロン；ポリグリコリド；ポリラクチド；ポリヒドロキシブチラート；ポリ（グリコリド−Ｅ−カプロラクトン）；ポリ（グリコリドトリメチレンカーボナート）；ポリ（Ｌ−乳酸−Ｌ−リシン）コポリマー；チロシン系ポリアリラート；ポリイミノカーボナート；ポリカーボナート；ポリ（Ｄ；Ｌ−ラクチド−ウレタン）；ポリ（エステルアミド）；ポリ−Ｐ−ジオキサノン；ヒアルロン酸；キチン；キトサン；ポリ−Ｌ−グルタミン酸；ポリ−Ｌ−リシン；ポリホスファゼン；ポリ［ビス（カルボキシラトフェノキシ）ホスファゼン］；およびそれらの組み合わせの少なくとも１種である、請求項６に記載のバルーン上に装着された予備クリンプ済みステントをコーティングする方法。
【発明の詳細な説明】
【技術分野】
【０００１】
本発明は、概して薬物送達医療装置に関する。より具体的には、本発明は、血管の管腔内の標的病変の最大カバー面積を提供する、増大した薬物送達面積を有する均質にコーティングされたインプラント可能な（埋め込み型）装置に関する。
【背景技術】
【０００２】
冠動脈疾患（ＣＡＤ）の治療において、ベアメタルステントから薬物溶出ステントへの着実な移行が見られ、薬物溶出ステント（ＤＥＳ）はベアメタルステントよりも実質的に高い割合で再狭窄を減少させるので、大きな進歩が見られた。ＤＥＳインプラント後の血流の再確立および再発率の最小化のために閉塞した動脈を再び開く目的で主に使用されるこれらの薬物溶出ステントは、それらが示す大きな改善を伴う利点を覆いかつそれを上回るいくつかの制限がある。ＤＥＳに関連する制限は、少数を挙げると、糖尿病患者、急性心筋梗塞患者、分岐部病変および慢性完全閉塞（ＣＴＯ）のような特定の適応症において特に起こる。例えば、糖尿病患者に関連する糖尿病足（膝患者より下）には、ＤＥＳに関連する制限を受ける。
【０００３】
現在利用可能なＤＥＳは、ステントの金属表面にコーティングされているため、血管壁にインプンラントされたときに、動脈の管腔（内腔）の１２〜２０％のみがステントの管腔への接触面積を表す薬物と共に送達され、それにより未処理で薬物が不足している残りの領域が放置される。さらに、低い生物学的利用能および低い親油性を有する薬物は血管壁における拡散制限を強める。未処理の領域および拡散の制限の結果として、再閉塞がしばしば患者において起こり、閉塞（ｂｌｏｃｋａｇｅ）および再閉塞の速度は患者の体の状態および生理機能に依り患者ごとに異なる。例えば、糖尿病患者は、非糖尿病患者よりも高い閉塞率を有し、そして、拡散した増殖性を有しかつ持続性疾患タイプの糖尿病患者は、狭窄した管腔直径および管腔長さが薬物の薬物送達をさらに複雑にするが、これは未解決の問題である。
【０００４】
さらに、送達される薬物の生物学的利用能の観点からは、薬物がステント上にのみコーティングされることを考慮すると、送達される薬物はステントがカバーすることができるのと同程度にすぎないため、最小の薬物が送達される。薬物の高い生物学的利用能および拡大された拡散は、この原因においてしばしば妥協される。例えば、既存のＤＥＳによって送達されるリムスベースの薬物は安全であることが証明されているが、これらの薬物は他の薬物と比較して貯蔵寿命が短く、したがって局所再狭窄を強める。
【発明の概要】
【発明が解決しようとする課題】
【０００５】
したがって、血管管腔／動脈の全領域に薬物を送達するのに効率的であり、それによって再狭窄および制御されない細胞増殖が生じるのを防ぐのに有効な、増大した領域をベースとする改善された薬物送達装置が、当技術分野において必要とされている。
【課題を解決するための手段】
【０００６】
本発明による実施形態を詳細に説明する前に、それらの実施形態は主に、医療装置上の均質な薬物コーティングを有する、改良されたインプラント可能な薬物送達装置の構成要素の組み合わせにあることに留意されたい。したがって、これらの構成要素は、当業者（本明細書の詳細な説明の利益を受ける者）にとって容易に明らかになる詳細で開示を曖昧にしないように、本発明の実施形態を理解することに関連する特定の詳細のみを含んで記載されている。
【０００７】
本明細書において、用語「含む」（ｃｏｍｐｒｉｓｅｓ）、「含む」（ｃｏｍｐｒｉｓｉｎｇ）、または任意の他のそれらの変形は、構成要素のリストを含むプロセス、方法、物品、または装置が、それらの構成要素のみを含むではなく、リストに明記されていないか、あるいはそのプロセス、方法、物品、または装置に固有の他の構成要素を含んでもよいように、非排他的な包含を網羅することを意図する。「〜を含む」によって修飾される構成要素は、それ以上の制約なしに、その構成要素を含むプロセス、方法、物品または装置におけるさらなる同一の要素の存在を排除するものではない。
【０００８】
さらに、本発明による実施形態を詳細に説明する前に、本発明を説明するために使用される全ての科学技術用語は、当業者によって理解されるのと同じ意味を有することに留意されたい。
【０００９】
本発明の様々な実施形態は、血管の管腔領域全体への薬物送達を可能にし、それによって管腔領域内の病変を全体的に治療し、薬物送達領域を増大させることを可能にする、改良されたインプラント可能な薬物送達装置を提供する。より具体的には、改良されたインプラント可能な薬物送達装置は、バルーンアセンブリに装着された、コーティングされた予備クリンプ済み（ｐｒｅ−ｃｒｉｍｐｅｄ：予めクリンプされた）ステントアセンブリであり、バルーンに装着された予備クリンプ済みステントのコーティングは１種以上の薬物と１種以上のポリマーのマトリックスの均質円筒コーティングを含み、これは、バルーン上に装着された予備クリンプ済みステントのバルーンアセンブリの膨張／拡張時に、血管の管腔の円周領域をカバーする。
【図面の簡単な説明】
【００１０】
【図１】図１は、典型的なコーティング構成におけるステントおよびバルーン上の均質な薬物およびポリマーマトリックスのコーティングを表す。
【００１１】
【図２】図２ａは、拡張されたバルーンを用いて得られたコーティング形成物の断面図を表し、図２ｂは、冠状血管系において薬物送達領域が増大されたインプラント可能な装置を用いた後に得られたコーティング形成物の断面図を表す。
【００１２】
【図３】図３は、試料のＨＰＬＣ分析結果に基づくグラフを表わす。
【００１３】
【図４】図４は、試料に関する対照／標準溶液のＨＰＬＣ分析に基づくグラフを表わす。
【発明を実施するための形態】
【００１４】
本発明によれば、冠状動脈および末梢血管動脈内の治療部位に薬物を送達する、薬物送達領域が増大したインプラント型装置が提供される。バルーン上に装着された、コーティングされた予備クリンプ済みステントは、単一の統合された薬物送達医療装置を構成する。バルーンアセンブリに装着されたステントアセンブリは、複数のストラット構成要素内に画定された複数の相互接続された空間領域を有する複数のストラット構成要素を含み、それによってメッシュ様構造を作り出す。バルーン上に装着されたステントアセンブリのクリンプ付け（ｃｒｉｍｐｉｎｇ：クリンピング）は、ステントクリンピング装置を使用する機構および手動クリンピング方法論を含む既知の方法によって行われる。
【００１５】
従って、バルーン上に装着された予備クリンプ済みステントのコーティングは、バルーン上に装着されて既に予備クリンプされたステントをコーティングする方法を含む。コーティングは、ステントアセンブリの複数のストラット（ｓｔｒｕｔ：支柱）構成要素および複数のストラット構成要素内に画定された複数の相互接続された空間領域を通して半径方向に延びて露出するバルーンアセンブリの領域の反管腔側面を含む外面をカバーし、これによってバルーン上に装着された予備クリンプ済みステントの外面をコーティングし、ここでバルーンアセンブリの複数の部分がコーティングに曝される。
【００１６】
バルーン上に装着された予備クリンプ済みステント上のコーティングは、１種以上の薬物と１種以上のポリマーとの有機溶媒可溶性マトリックスを含む。
【００１７】
前記の１種以上の薬物は、抗再狭窄剤、抗増殖剤、抗炎症剤、抗血栓剤、ならびに、抗酸化剤、免疫抑制剤、細胞増殖抑制剤および細胞傷害剤を含むが、これらに限定されない群から選択される。より具体的には、１つまたは複数の薬物は、シロリムス、タクロリムス、パクリタキセル、ベータ・エスタジオール、ラパマイシン、エベロリムス、エチルラパマイシン、ゾタロリムス、ＡＢＴ−５７８、ＢｉｏｌｉｍｕｓＡ９、およびラパマイシンやマイトマイシンの類似体、ミノマイシン、ノボリムス、ペミロラストカリウム、アルファ−インターフェロン、生物活性ＲＧＤ、ならびにそれらの塩、エステルまたは類似体を含むが、これらに限定されない群から選択される。
【００１８】
別の例示的な実施形態において、薬物は、シロリムス、タクロリムス、パクリタキセル、ヘパリン、ベータ・エスタジオール、ラパマイシン、エベロリムス、エチルラパマイシン、ゾタロリムス、ＡＢＴ−５７８、ＢｉｏｌｉｍｕｓＡ９、ドセタキセルおよびマイトマイシンのうちの１種または複数種を含み得るが、これらに限定されない。
【００１９】
前記の１種または複数種のポリマーは、下記を含むがこれらに限定されない群から選択される：グリコリドおよびラクチドのホモポリマー、コポリマー；トリメチレンカーボナート、ε−カプロラクトンおよびポリジオキサノンのコポリマー；ポリグリコール酸（ＰＧＡ）；（乳酸／グリコール酸）コポリマー（ＰＬＧＡ）；ポリ（エチレングリコール）（ＰＥＧ）；ポリグラクチン；ポリグリコナート；ポリジキサノン；ポリグレカプロン；ポリグリコリド；ポリラクチド；ポリヒドロキシブチラート；ポリ（グリコリド−Ｅ−カプロラクトン）；ポリ（グリコリドトリメチレンカーボナート）；ポリ（Ｌ−乳酸−Ｌ−リシン）コポリマー；チロシン系ポリアリラート；ポリイミノカーボナート；ポリカーボナート；ポリ（Ｄ；Ｌ−ラクチド−ウレタン）；ポリ（エステルアミド）；ポリ−Ｐ−ジオキサノン；ヒアルロン酸；キチン；キトサン；ポリ−Ｌ−グルタミン酸；ポリ−Ｌ−リシン；ポリホスファゼン；ポリ［ビス（カルボキシラトフェノキシ）ホスファゼン］およびそれらの組み合わせ。好ましい実施形態では、バルーン上に装着された予備クリンプ済みステントをコーティングするために、ポリ−Ｌラクチドファミリーの生分解性ポリマーマトリックスが１種以上の薬物と共に用いられる。
【００２０】
バルーン上に装着された予備クリンプ済みステントをコーティングする方法は、バルーン上に装着された予備クリンプ済みステント上にコーティング溶液をスプレーコーティングすることを含み、ここではインプラント可能な装置がコーティング機に設置される。コーティング機は、スプレーノズルユニット、保護管、マンドレル固定具およびホルダーを含むが、これらに限定されない。スプレーノズルユニットは、低沸点溶媒に溶解した１種以上の薬物および１種以上の生分解性ポリマーのマトリックスを含むコーティング溶液をスプレーするために使用される。さらに、予め調製済みのコーティング溶液をスプレーノズルユニットに付随する供給カップに注ぐ。
【００２１】
コーティングの例を考えると、バルーンに装着された予備クリンプ済みステント（２．２５×２０ｍｍの寸法）がコーティング機に設置される。１種以上の薬物および１種以上のポリマーのコーティング溶液を調製し、そして１ｍｌのコーティング溶液を、０．５〜４．０ｐｓｉの不活性ガス圧を含む特定の条件で、コーティング機に装着された予備クリンプ済みステントシステムに噴霧する。このとき、コーティング機は５〜４０ｒｐｍの速度で回転する。コーティング溶液をスプレーコーティングする際に、コーティングを室温で５分間乾燥させ、それによってコーティング溶液中の残留溶媒を蒸発させることができる。
【００２２】
コーティング機は回転可能なマンドレルを有することができる。薬物送達用の挿入可能な医療装置は、回転可能なマンドレルに装着され、この回転式マンドレルと共に回転されてもよい。薬物送達用の挿入可能な医療装置の外面はスプレーノズルユニットに露出されてもよく、それによって、ステントアセンブリの複数のストラット構成要素および複数のストラット構成要素内に画定された複数の相互接続された空間領域を通して半径方向に延びて露出するバルーンアセンブリの領域の反管腔側面をコーティングし、そうしてバルーン上に装着された予めクリンプされたステントの外面をコーティングする。
【００２３】
バルーン上に装着された、予備クリンプ済みおよびコーティング済みの挿入可能なステントを体腔内に配置すると、バルーン上に装着された予備クリンプ済みステント内のバルーンは、６〜９気圧の公称圧力範囲で拡張される。バルーンひいてはステントの拡張時に、バルーン上に装着された予備クリンプ済みステントの外面上のコーティングが拡張し、体腔内の標的病変に対処するためのコーティングの均質な円筒形フィルム（薄膜）形成が起こる。２．２５×２０ｍｍの寸法のステントの例を考えると、コーティング上の０．７マイクログラム／平方ミリメートル〜１．８マイクログラム／平方ミリメートルの範囲の薬物濃度が体腔内の標的部位に送達される態様が挙げられ、このようにして薬物送達領域が増大することになる。
【００２４】
バルーン上の予備クリンプ済みステントアセンブリは、均質な薬物および関連するポリマーコーティング、ステントおよびバルーンの外面に適用された均質な薬物コーティングをさらに含み、それによって薬物送達医療装置の外側に完全な被覆が与えられる。バルーン上に装着された予備クリンプ済み及びコーティング済みのステント内のバルーンの膨張時に、コーティングは、複数のストラット構成要素ならびに複数のストラット構成要素内に画定された複数の相互接続された空間領域上に見出される。
【００２５】
好ましい実施形態では、バルーン上に装着された予備クリンプ済みステント上のコーティングは、ポリ−Ｌラクチドファミリーのコポリマーの生分解性マトリックスから選択されたポリマーマトリックスから溶出されたシロリムス薬を含む。バルーン上に装着された予備クリンプ済みステント内のステントアセンブリは、ステントの反管腔側面上にコーティングを有するコバルトクロムステントであり、バルーンは予めクリンプされた状態にある。ステントおよびバルーンの反管腔側面上のコーティングは、複数のストラット構成要素の反管腔側面および側面上のコーティング、ならびにステントアセンブリの複数のストラット内に画定された複数の相互接続された空間領域を通して露出されたバルーン表面の半径方向延在部上のコーティングを含む。薬物送達装置が体腔内で使用されると、ポリ−Ｌラクチドの生分解性マトリックスは加水分解により天然の乳酸に分解され、この天然の乳酸は最終的に体腔内で６〜８ヶ月の期間内に二酸化炭素および水に代謝される。
【００２６】
Ｐｏｌｙ−Ｌ  Ｌａｃｔｉｄｅファミリーのコポリマーの生分解性マトリックスから溶出されたシロリムス薬を含む予備クリンプ済みステント上のコーティングは、コーティング溶液から調製される。一実施形態では、シロリムスを５０ｍｌのメタノールに溶解させ、シロリムスをメタノールに完全に溶解させた後、ポリ−Ｌラクチドファミリーのコポリマーの生分解性マトリックスから選択されたポリマーも、シロリムスおよびメタノールを含有する溶液に添加する。次の工程において、シロリムスおよび選択されたポリマーを含む溶液は、超音波洗浄機を使用することによって脱気される。
【００２７】
図１を参照すると、バルーン上に装着され、コーティングされた予備クリンプ済みステントが、典型的なコーティング構成で示されている。図２ａは、膨張／拡張したバルーンを用いて得られたコーティング形成物の断面図を表し、図２ｂは、インプラント可能な装置が冠状血管系に用いられた後に得られたコーティング形成物の断面図を表している。
【００２８】
本発明の例示的実施形態によれば、１種または複数の薬物および関連する生分解性ポリマーマトリックスの均質コーティングは、バルーン上に予備クリンプされたステントの外面をカバーし、薬物送達用のインプラント可能な装置は、冠状動脈／血管系内に展開される。バルーンの膨張が４５秒から６０秒の範囲で起こる標的部位に薬物送達装置を展開する典型的な手順では、薬物およびポリマーマトリックスコーティングの均質な円筒形フィルム（薄膜）形成が、血管の湿潤状態で起こる。冠状血管または末梢血管用途におけるステントの留置中は、４５秒から６０秒の範囲の典型的な膨張期間が維持される。図２ａに示すように、動脈壁の壁と接触している黒丸は、コーティングされたバルーンの拡張時の均質な円筒形フィルム形成を表し、それによって最大のカバー面積を有するように病変全体に薬物を送達する。
【００２９】
様々な実施形態は、体腔内の複数の病巣に対処する方法を含み、これらの複数の病巣は複数の病状に関連する。病状は、再狭窄、閉塞した体腔、アテローム性動脈硬化症、心筋梗塞および体腔内のプラーク蓄積のうちの１つ以上であり得る。体腔は、例えば、血管、尿道、食道、尿管および胆管であり得る。好ましい実施形態では、バルーン上に装着されコーティングされた予備クリンプ済みステントは、糖尿病患者の冠状動脈／末梢動脈の病変に対処する。
【００３０】
一実施形態では、バルーン上に装着された予備クリンプ済みステントの外面上のコーティングは、ステントアセンブリの内面上のコーティングの欠如を確実にし、したがって複数のストラット構成要素の管腔側面はコーティングを欠く。複数のストラット構成要素の管腔側面の下のバルーンの部分もまたコーティングを欠き、それゆえ、特に冠状動脈または末梢動脈において再内皮化（ｒｅｅｎｄｏｔｈｅｌｉａｌｉｚａｔｉｏｎ）プロセスを加速する。
【００３１】
管腔と接触している均質な円筒形フィルム（薄膜）形成物は、冠状動脈または末梢動脈の管腔内に有利に保持され、それによって円周形状を提供する。この円周形状は、数日から数ヶ月の間の適切な薬物のバースト放出および持続放出を容易にし、それによって再狭窄または狭窄の再発の病状を持つ糖尿病患者をサポートし、さらに管腔内の細胞の制御されない増殖を防止する。
【実施例】
【００３２】
一例では、バルーン上に装着されたコーティングされた予備クリンプ済みステントは、サイズ３．００×２０ｍｍの予備クリンプ済みステントを含む。コーティング溶液に用いられるシロリムスの量／重量は５ｍｇであり、これは正確な秤量天秤に従って秤量した値である。コーティング溶液は、２５ｍｌのメタノールを添加した琥珀色の１００ｍｌ標準計量フラスコ中に溶解した５ｍｇのシロリムスを含む。得られたコーティング溶液を超音波洗浄器中で２分間超音波処理し、超音波処理した後、コーティング溶液を脱気する。コーティング溶液の脱気後のコーティング溶液の理論上の標準溶液濃度は５０μｇ／ｍｌであり、対照／標準もまた比較分析のために調製される。
【００３３】
従って、バルーン上に装着された予備クリンプ済みステントは、コーティング溶液を含む１０ｍｌの琥珀色の標準計量フラスコに浸される。コーティング溶液をシリンジフィルターを使用して０．４５メンブランフィルターで濾過し、さらなる分析のためにＨＰＬＣバイアルに充填する。分析のためのＨＰＬＣシステムは、ＵＶ−ＶＩＳ検出器およびカラム：ＢＤＳ  ＨＹＰＥＲＳＩＬ  Ｃ１８を含み、ここで寸法は２５０×４．６ｍｍを含み、５μｍの粒子サイズが使用された。操作パラメータは、１ｍｌ／分の流速、２７７ｎｍの最大波長、２０μｌのオートサンプラー注入容量、４０℃（±２℃）のカラム温度、１５℃（±１℃）のサンプル温度および１２分の運転時間をさらに含む。
【００３４】
図３は、試料のＨＰＬＣ分析結果に基づくグラフの例示である。図３を参照すると、コーティング溶液の注入後の薬物による平均面積被覆率は８７８２１７である。
【００３５】
図４は、対照／標準溶液のＨＰＬＣ分析に基づくグラフの例示である。図４を参照すると、対照／標準溶液に関する平均面積被覆率は３１４７９８１である。
【００３６】
標準溶液／対照に関する試料用のバルーン上に装着された予備クリンプ済みステント上にコーティングされた薬物の量は、次式を用いて計算される。  
【数１】
2020534876.tif 000003
【００３７】
従って、試料の平均面積被覆率および標準溶液／対照の平均面積被覆率を使用して計算された薬物含有量は、３．００×２０ｍｍ寸法の予備クリンプ済みステントの１３６．５６μｇである。
【００３８】
別の実施形態では、バルーン上に装着された予備クリンプ済みステントアセンブリの、薬物送達領域が増大した均質にプレコーティングされた埋め込み可能な装置が、急性心筋梗塞（ＡＭＩ）患者および血栓含有病変（ＴＣＬ）患者の治療に用いられる。ＡＭＩ患者およびＴＣＬ患者を治療する既存の方法論は、血栓を溶解するためにストレプトキナーゼを提供することによる血栓溶解を含む。別の方法では、血栓吸引カテーテルを使用して病変から血栓を吸引した後にＤＥＳのインプラントを行う。これらの方法論は、インプラント後に血栓を除去するのに成功しているが、ステント血栓または病巣内部の破片に起因して、流れがないまたは遅い流れの状況がしばしば生じる。ＤＥＳのインプラント時に急性血栓形成が再発する傾向が高いことを考慮すると、ＤＥＳのインプラント後に亜急性または遅発性血栓を回避する必要がある。したがって、本発明による薬物送達用のインプラント可能な装置を使用すると、均質な円筒形フィルム（薄膜）形成の適度な引張強度は、管腔における急性、亜急性および後期の血栓形成の発生に抵抗し、さらに緩慢な流動および非流動の状態が取り除かれる。
【００３９】
本発明の様々な実施形態は、有利なことに、薬物および関連ポリマーマトリックスのコーティングの周方向の適度な引張強度のフィルム（薄膜）形成を提供し、それにより再狭窄のない状態で管腔内の病変部を最大限にカバーし、かつその血管の管腔領域内の急性、亜急性および後期の血栓形成を防止する。したがって、本発明は、薬物溶出ステントの利点と薬物溶出バルーンの利点とを組み合わせて、管腔内での薬物の利用可能性を高める。
【００４０】
当業者であれば、本明細書に記載の上記の利点および他の利点は単なる例示であり、本発明の様々な実施形態のすべての利点の完全な表現を意味するものではないことを理解するであろう。
【００４１】
先行の仮明細書において、本発明の特定の実施形態が説明された。しかしながら、当業者であれば、本発明の範囲から逸脱することなく本発明に対して様々な修正および変更を加えることができることを理解するであろう。したがって、仮明細書は、限定的な意味ではなく例示的な意味のものと看做されるべきであり、そのような修正はすべて本発明の範囲内に含まれることが意図されている。
【図１】
2020534876.tif 000004
【図２】
2020534876.tif 000005
【図３】
2020534876.tif 000006
【図４】
2020534876.tif 000007
【国際調査報告】
2020534876.tif 000008
2020534876.tif 000009